(57)【要約】【課題】ワンセグ放送の解像度を高めることができるようにする。【解決手段】ワンセグ放送用の一のセグメントから１／５０ｓｅｃ間隔で供給される２つの画像信号を合成して合成信号を生成する。この合成信号を１フレーム分の画像データとすることによって、１／２５ｓｅｃのフレームレートで１フレームを表示部に表示させる。【選択図】図１
2009188615.tif 000002
【特許請求の範囲】
【請求項１】
一のセグメントから供給される画像信号を所定の間隔で受信するとともに、切替信号を受信可能な受信手段と、
前記受信手段が前記切替信号を受信した場合に、２以上の前記画像信号を合成して合成信号を生成する合成信号生成手段と、
前記受信手段が前記切替信号を受信していない場合に、一の前記画像信号を１フレーム分の画像データとする一方、前記受信手段が前記切替信号を受信した場合に、前記合成信号を１フレーム分の画像データとする画像データ切替手段と、
を有することを特徴とする画像信号処理装置。
【請求項２】
複数のセグメントからそれぞれ供給される画像信号を所定の間隔で受信する受信手段と、
各画像信号を所定のルールで間引くことによって前記画像信号よりもデータ容量が小さい縮小信号をそれぞれ生成する縮小信号生成手段と、
各縮小信号を合成して、一のセグメントから供給される前記画像信号よりもデータ容量が大きい１フレーム分の画像データを生成する画像データ生成手段と、
を有することを特徴とする画像信号処理装置。
【請求項３】
一のセグメントから供給される画像信号を所定の間隔で受信するステップと、
切替信号を受信した場合に、２以上の前記画像信号を合成して合成信号を生成するステップと、
前記切替信号を受信していない場合に、一の前記画像信号を１フレーム分の画像データとする一方、前記切替信号を受信した場合に、前記合成信号を１フレーム分の画像データとするステップと、
を有することを特徴とする画像信号処理方法。
【請求項４】
複数のセグメントからそれぞれ供給される画像信号を所定の間隔で受信するステップと、
各画像信号を所定のルールで間引くことによって前記画像信号よりもデータ容量が小さい縮小信号をそれぞれ生成するステップと、
各縮小信号を合成して、一のセグメントから供給される前記画像信号よりもデータ容量が大きい１フレーム分の画像データを生成するステップと、
を有することを特徴とする画像信号処理方法。
【発明の詳細な説明】
【技術分野】
【０００１】
本発明は、地上波デジタル放送における画像信号処理装置および画像信号処理方法に関する。
【背景技術】
【０００２】
従来、地上波デジタル放送の伝送方式として、ＯＦＤＭ技術を用いたＩＳＤＢ−Ｔ（Integrated Services Digital Broadcasting for Terrestrial）が規格化されている。ＯＦＤＭ変調方式は、マルチキャリア変調方式の一種であり、隣接間で互いに直交する多数のキャリアに直並列変換された符号化データ（情報シンボル）を割り当て、逆高速フーリエ変換（Invert Fast Fourier Transform：ＩＦＦＴ）によって一括して時間領域の信号に変調した後に、直交変調によりＯＦＤＭ信号を生成して伝送するものである。
【０００３】
また、ＩＳＤＢ−Ｔは、ＵＨＦ帯の６ＭＨｚの周波数帯域を１３個のセグメントと呼ばれる帯域に分割した方式（セグメント構造）を採用している。そして、１３セグメントのうち、１２セグメントがハイビジョン（ＨＤＴＶ）放送に割り当てられ、残りの１セグメントが携帯受信機向けのワンセグ放送に割り当てられている。
【０００４】
特許文献１には、高解像度画像信号によるハイビジョン（フルセグ）画像からテロップ領域を検出して、テロップ領域に対応する画素信号を除去するとともに、低解像度画像信号によるワンセグ画像の画素数を増大させた拡大画像信号からテロップ領域に対応する画素信号を切り出して、テロップ領域に対応する画素信号が除去された高解像度画像信号に、拡大画像信号から切り出した画素信号を合成することによって、テロップ等の人工的画像を削除した良好な画像を提示する画像信号の処理装置および処理方法が開示されている。
【０００５】
【特許文献１】特開２００７−３３６４０５号公報
【発明の開示】
【発明が解決しようとする課題】
【０００６】
ところで、上述したように、ワンセグ放送には１セグメントしか割り当てられていない。このため、ワンセグ放送に使用されるデータ量が限定され、ワンセグ放送は解像度が低いものとなっている。
【０００７】
本発明の目的は、ワンセグ放送の解像度を高めることが可能な画像信号処理装置および画像信号処理方法を提供することである。
【課題を解決するための手段及び効果】
【０００８】
本発明の画像信号処理装置は、一のセグメントから供給される画像信号を所定の間隔で受信するとともに、切替信号を受信可能な受信手段と、前記受信手段が前記切替信号を受信した場合に、２以上の前記画像信号を合成して合成信号を生成する合成信号生成手段と、前記受信手段が前記切替信号を受信していない場合に、一の前記画像信号を１フレーム分の画像データとする一方、前記受信手段が前記切替信号を受信した場合に、前記合成信号を１フレーム分の画像データとする画像データ切替手段と、を有することを特徴とする。
【０００９】
上記の構成によれば、受信手段が切替信号を受信していない場合に、一の画像信号が１フレーム分の画像データとされる一方、受信手段が切替信号を受信した場合に、２以上の画像信号が合成された合成信号が１フレーム分の画像データとされる。これにより、一の画像信号よりもデータ容量が大きい合成信号が１フレーム分の画像データとされると、一の画像信号が１フレーム分の画像データとされる従来に比べて、１フレーム分の画像データのデータ容量が大きなものとなるから、従来よりもデータ容量が大きな画像データをワンセグ放送の表示に用いることによって、ワンセグ放送の解像度を高めることができる。
【００１０】
また、本発明の画像信号処理装置は、複数のセグメントからそれぞれ供給される画像信号を所定の間隔で受信する受信手段と、各画像信号を所定のルールで間引くことによって前記画像信号よりもデータ容量が小さい縮小信号をそれぞれ生成する縮小信号生成手段と、各縮小信号を合成して、一のセグメントから供給される前記画像信号よりもデータ容量が大きい１フレーム分の画像データを生成する画像データ生成手段と、を有することを特徴とする。
【００１１】
上記の構成によれば、複数のセグメントからそれぞれ供給される画像信号を間引いた縮小信号が合成されて、一のセグメントから供給される画像信号よりもデータ容量が大きい１フレーム分の画像データが生成される。これにより、一のセグメントから供給される画像信号を１フレーム分の画像データとする従来のワンセグ放送に比べて、１フレーム分の画像データのデータ容量が大きなものとなるから、従来よりもデータ容量が大きな画像データをワンセグ放送の表示に用いることによって、ワンセグ放送の解像度を高めることができる。
【００１２】
また、本発明の画像信号処理方法は、一のセグメントから供給される画像信号を所定の間隔で受信するステップと、切替信号を受信した場合に、２以上の前記画像信号を合成して合成信号を生成するステップと、前記切替信号を受信していない場合に、一の前記画像信号を１フレーム分の画像データとする一方、前記切替信号を受信した場合に、前記合成信号を１フレーム分の画像データとするステップと、を有することを特徴とする。
【００１３】
上記の構成によれば、切替信号を受信していない場合に、一の画像信号が１フレーム分の画像データとされる一方、切替信号を受信した場合に、２以上の画像信号が合成された合成信号が１フレーム分の画像データとされる。これにより、一の画像信号よりもデータ容量が大きい合成信号が１フレーム分の画像データとされると、一の画像信号が１フレーム分の画像データとされる従来に比べて、１フレーム分の画像データのデータ容量が大きなものとなるから、従来よりもデータ容量が大きな画像データをワンセグ放送の表示に用いることによって、ワンセグ放送の解像度を高めることができる。
【００１４】
また、本発明の画像信号処理方法は、複数のセグメントからそれぞれ供給される画像信号を所定の間隔で受信するステップと、各画像信号を所定のルールで間引くことによって前記画像信号よりもデータ容量が小さい縮小信号をそれぞれ生成するステップと、各縮小信号を合成して、一のセグメントから供給される前記画像信号よりもデータ容量が大きい１フレーム分の画像データを生成するステップと、を有することを特徴とする。
【００１５】
上記の構成によれば、複数のセグメントからそれぞれ供給される画像信号を間引いた縮小信号が合成されて、一のセグメントから供給される画像信号よりもデータ容量が大きい１フレーム分の画像データが生成される。これにより、一のセグメントから供給される画像信号を１フレーム分の画像データとする従来のワンセグ放送に比べて、１フレーム分の画像データのデータ容量が大きなものとなるから、従来よりもデータ容量が大きな画像データをワンセグ放送の表示に用いることによって、ワンセグ放送の解像度を高めることができる。
【発明を実施するための最良の形態】
【００１６】
［第１の実施の形態］
本発明の第１の実施の形態を図１ないし図３に基づいて以下に説明する。
【００１７】
（画像信号処理装置の構成）
本実施の形態にかかる画像信号処理装置は、ワンセグ放送用に割り当てられた一のセグメントから供給される放送信号に含まれる画像信号を受信する。この画像信号は、図１に示すように、Ａ１、Ａ２、Ａ３の順番で、１／５０ｓｅｃ間隔（所定の間隔）で供給されている。即ち、ワンセグ放送の画像信号のフレームレートは１／５０ｓｅｃである。なお、ワンセグ放送の画像信号のフレームレートは１／５０ｓｅｃに限定されない。
【００１８】
ワンセグ放送用のセグメントから供給される画像信号の各々は、エンコード（圧縮）されているとともに、変調されている。そのため、画像信号処理装置において受信された画像信号は、復調されるとともに、デコード（解凍）される。
【００１９】
ここで、ワンセグ放送用のセグメントから供給される放送信号には、画像信号の他に、音声信号が含まれている。音声信号は、画像信号と同様に、１／５０ｓｅｃ間隔で順番に供給される。そして、音声信号の各々は、エンコード（圧縮）されているとともに、変調されている。
【００２０】
また、本実施の形態において、ワンセグ放送用のセグメントから供給される放送信号には、切替信号が含まれている場合がある。この切替信号は、ワンセグ放送のフレームレートを１／５０ｓｅｃから１／２５ｓｅｃに切り替えるように指示するものである。
【００２１】
画像信号処理装置が切替信号を受信した場合には、図１に示すように、１／５０ｓｅｃ間隔で続けて受信された２つの画像信号が合成されることによって、合成信号が生成される。そして、合成信号が１フレーム分の画像データとされる。具体的には、Ａ１とＡ２の画像信号が合成された合成信号がＦ１の画像データとされ、Ａ３とＡ４の画像信号が合成された合成信号がＦ２の画像データとされる。これにより、１／２５ｓｅｃのフレームレートで画像データが切り替わることとなる。なお、合成に要する時間は考慮しないものとする。
【００２２】
一方、画像信号処理装置が切替信号を受信しない場合には、図１に示すように、１／５０ｓｅｃ間隔で供給される画像信号の各々が１フレーム分の画像データとされる。具体的には、Ａ１の画像信号がＦ１の画像データとされ、Ａ２の画像信号がＦ２の画像データとされる。これにより、１／５０ｓｅｃのフレームレートで画像データが切り替わることとなる。
【００２３】
ここで、一の合成信号のデータ容量は、単純に比べて、一の画像信号のデータ容量の２倍である。従って、一の合成信号が１フレーム分の画像データとされた場合、一の画像信号が１フレーム分の画像データとされる従来のワンセグ放送に比べて、１フレーム分の画像データの容量が、単純に２倍になっている。これにより、図１に示すように、一の合成信号を１フレーム分の画像データとして表示したフレーム画像Ａの方が、一の画像信号を１フレーム分の画像データとして表示したフレーム画像Ｂよりも、解像度が高くなっている。
【００２４】
このように、一の画像信号よりもデータ容量が大きい合成信号が１フレーム分の画像データとされると、一の画像信号が１フレーム分の画像データとされる従来に比べて、１フレーム分の画像データのデータ容量が大きなものとなるから、従来よりもデータ容量が大きな画像データをワンセグ放送の表示に用いることによって、ワンセグ放送の解像度を高めることができる。
【００２５】
（受信装置１の機械的構成）
本実施の形態に係る画像信号処理装置が組み込まれた受信装置１の機械的構成について、図２を用いて説明する。なお、受信装置１は、携帯電話端末やカーナビといった、ワンセグ放送を受信可能な機器に組み込まれている。
【００２６】
受信装置１は、図２に示すように、制御回路１１によって動作が制御されている。図２に示す制御回路１１は、回路基板上に配置されたマイクロコンピュータ１２を主たる構成要素とし、これに各種回路を加えて構成されている。マイクロコンピュータ１２は、予め設定されたプログラムに従って制御動作を行うＣＰＵ１３と、各種プログラムを格納するＲＯＭ１４と、一時記憶手段としてのＲＡＭ１５とを有している。
【００２７】
ＣＰＵ１３には、受信手段としてのアンテナ２が受信した放送信号を復調する復調回路１６、表示部３に表示させる画像を制御する表示制御回路１７、および、音声出力部４から出力させる音声を制御する音声制御回路１８が接続されている。
【００２８】
ＣＰＵ１３は、復調回路１６が復調した放送信号をデコードする。また、合成信号生成手段としてのＣＰＵ１３は、放送信号に切替信号が含まれている場合に、デコードした画像信号をＲＡＭ１５に格納し、２つの画像信号を合成することによって、合成信号を生成する。また、画像データ切替手段としてのＣＰＵ１３は、放送信号に切替信号が含まれている場合に、一の合成信号を１フレーム分の画像データとする一方、放送信号に切替信号が含まれていない場合に、一の画像信号を１フレーム分の画像データとする。また、ＣＰＵ１３は、１フレーム分の画像データを１フレームとして表示部３に表示させるように表示制御回路１７を制御する。
【００２９】
また、ＣＰＵ１３は、放送信号に切替信号が含まれているか否かに関わらず、一の音声信号を１／５０ｓｅｃ分の音声データとして音声出力部４から出音させるように音声制御回路１８を制御する。なお、ＣＰＵ１３は、放送信号に切替信号が含まれている場合に、２つの音声信号を合成して、１／２５ｓｅｃ分の音声データとして音声出力部４から出音させるように音声制御回路１８を制御する構成であってもよい。
【００３０】
（受信装置１の動作）
上記の構成において、図３に示す画像表示処理ルーチンを参照して、受信装置１の動作について説明する。
【００３１】
（画像表示処理ルーチン）
画像表示処理ルーチンが実行されると、図３に示すように、ＣＰＵ１３は、ワンセグ放送の画像信号を受信する（Ｓ１）。そして、画像信号を復調回路１６で復調させ（Ｓ２）、復調された画像信号をデコードする（Ｓ３）。その後、ワンセグ放送の放送信号に切替信号が含まれているか否かを判定することによって、フレームレートを１／５０ｓｅｃから１／２５ｓｅｃに切り替えるか否かを判定する（Ｓ４）。
【００３２】
Ｓ４において、ワンセグ放送の放送信号に切替信号が含まれておらず、フレームレートを切り替えないと判定した場合には（Ｓ４：ＮＯ）、デコードした画像信号を１フレーム分の画像データとして表示部３に表示させるように表示制御回路１７を制御することによって、１フレームを表示部３に表示させる（Ｓ５）。その後、Ｓ１に戻る。
【００３３】
Ｓ４において、ワンセグ放送の放送信号に切替信号が含まれており、フレームレートを切り替えると判定した場合には（Ｓ４：ＹＥＳ）、デコードした画像信号をＲＡＭ１５に格納する（Ｓ６）。続いて、次の画像信号を受信し（Ｓ７）、これを復調回路１６で復調させ（Ｓ８）、復調された画像信号をデコードし（Ｓ９）、ＲＡＭ１５に格納する（Ｓ１０）。その後、ＲＡＭ１５に格納されている２つの画像信号を合成させて合成信号を生成し（Ｓ１１）、合成信号を１フレーム分の画像データとして表示部３に表示させるように表示制御回路１７を制御することによって、１フレームを表示部３に表示させる（Ｓ１２）。その後、Ｓ１に戻る。
【００３４】
このように、一の画像信号よりもデータ容量が大きい合成信号が１フレーム分の画像データとされると、一の画像信号が１フレーム分の画像データとされる従来に比べて、１フレーム分の画像データのデータ容量が大きなものとなるから、従来よりもデータ容量が大きな画像データをワンセグ放送の表示に用いることによって、ワンセグ放送の解像度を高めることができる。
【００３５】
（本実施の形態の概要）
以上のように、本実施の形態の画像信号処理装置は、一のセグメント（ワンセグ放送用のセグメント等）から供給される画像信号を所定の間隔（１／５０ｓｅｃ等）で受信するとともに、切替信号を受信可能な受信手段（アンテナ２、復調回路１６等）と、受信手段が切替信号を受信した場合に、２以上の画像信号を合成して合成信号を生成する合成信号生成手段（ＣＰＵ１３、図３の画像表示処理ルーチン等）と、受信手段が切替信号を受信していない場合に、一の画像信号を１フレーム分の画像データとする一方、受信手段が切替信号を受信した場合に、合成信号を１フレーム分の画像データとする画像データ切替手段（ＣＰＵ１３、図３の画像表示処理ルーチン等）と、を有する構成にされている。
【００３６】
上記の構成によれば、受信手段が切替信号を受信していない場合に、一の画像信号が１フレーム分の画像データとされる一方、受信手段が切替信号を受信した場合に、２以上の画像信号が合成された合成信号が１フレーム分の画像データとされる。これにより、一の画像信号よりもデータ容量が大きい合成信号が１フレーム分の画像データとされると、一の画像信号が１フレーム分の画像データとされる従来に比べて、１フレーム分の画像データのデータ容量が大きなものとなるから、従来よりもデータ容量が大きな画像データをワンセグ放送の表示に用いることによって、ワンセグ放送の解像度を高めることができる。
【００３７】
また、本実施の形態の画像信号処理方法は、一のセグメント（ワンセグ放送用のセグメント等）から供給される画像信号を所定の間隔（１／５０ｓｅｃ等）で受信するステップと、切替信号を受信した場合に、２以上の画像信号を合成して合成信号を生成するステップと、切替信号を受信していない場合に、一の画像信号を１フレーム分の画像データとする一方、切替信号を受信した場合に、合成信号を１フレーム分の画像データとするステップと、を有する構成にされている。
【００３８】
上記の構成によれば、切替信号を受信していない場合に、一の画像信号が１フレーム分の画像データとされる一方、切替信号を受信した場合に、２以上の画像信号が合成された合成信号が１フレーム分の画像データとされる。これにより、一の画像信号よりもデータ容量が大きい合成信号が１フレーム分の画像データとされると、一の画像信号が１フレーム分の画像データとされる従来に比べて、１フレーム分の画像データのデータ容量が大きなものとなるから、従来よりもデータ容量が大きな画像データをワンセグ放送の表示に用いることによって、ワンセグ放送の解像度を高めることができる。
【００３９】
［第２の実施の形態］
次に、本発明の第２の実施の形態を図４ないし図５に基づいて以下に説明する。
【００４０】
（画像信号処理装置の構成）
本実施の形態にかかる画像信号処理装置は、図４に示すように、ハイビジョン放送用に割り当てられた１２個のセグメントの各々から供給される放送信号に含まれる画像信号を受信する。これら画像信号は、１／５０ｓｅｃ間隔（所定の間隔）で供給されている。即ち、ハイビジョン放送の画像信号のフレームレートは１／５０ｓｅｃである。なお、ハイビジョン放送の画像信号のフレームレートは１／５０ｓｅｃに限定されない。
【００４１】
ハイビジョン放送用の１２個のセグメントの各々から供給される画像信号の各々は、エンコード（圧縮）されているとともに、変調されている。そのため、画像信号処理装置において受信された画像信号は、復調されるとともに、デコード（解凍）される。
【００４２】
ここで、ハイビジョン放送用のセグメントから供給される放送信号には、画像信号の他に、音声信号が含まれている。音声信号は、画像信号と同様に、１／５０ｓｅｃ間隔で順番に供給される。そして、音声信号の各々は、エンコード（圧縮）されているとともに、変調されている。
【００４３】
画像信号処理装置においてデコードされた各画像信号は、図４に示すように、所定のルールで間引きされる。これにより、一の画像信号よりもデータ容量が小さい縮小信号が生成される。ここで、間引きは、複数の行と複数の列とで構成されるマトリクスデータの偶数番目の行に対応するデータを削除したり、奇数番目の列に対応するデータを削除したりすることによって行われるものであってよい。
【００４４】
生成された１２個の縮小信号は、図４に示すように、合成される。これにより、一のセグメントから供給される画像信号よりもデータ容量が大きい１フレーム分の画像データが生成される。具体的には、１〜１２の縮小信号が合成されることによって、Ｆ１の画像データが生成される。これにより、１／５０ｓｅｃのフレームレートで画像データが切り替わることとなる。なお、合成に要する時間は考慮しないものとする。
【００４５】
ここで、１２個の縮小信号が合成されて生成された１フレーム分の画像データは、一のセグメントから供給される画像信号よりもデータ容量が大きい。これにより、図４に示すように、１２個の縮小信号を合成して生成した１フレーム分の画像データを１フレームとして表示したフレーム画像Ａの方が、一の画像信号を１フレーム分の画像データとして表示したフレーム画像Ｂよりも、解像度が高くなっている。
【００４６】
このように、１２個のセグメントからそれぞれ供給される画像信号を間引いた縮小信号が合成されて、一のセグメントから供給される画像信号よりもデータ容量が大きい１フレーム分の画像データが生成される。これにより、一のセグメントから供給される画像信号を１フレーム分の画像データとする従来のワンセグ放送に比べて、１フレーム分の画像データのデータ容量が大きなものとなるから、従来よりもデータ容量が大きな画像データをワンセグ放送の表示に用いることによって、ワンセグ放送の解像度を高めることができる。
【００４７】
（受信装置１の機械的構成）
本実施の形態に係る画像信号処理装置が組み込まれた受信装置１の機械的構成は、第１の実施の形態と同じである（図２参照）。
【００４８】
ＣＰＵ１３は、復調回路１６が復調した１２個の放送信号をそれぞれデコードする。また、縮小信号生成手段としてのＣＰＵ１３は、各画像信号を所定のルールで間引くことによって、一の画像信号よりもデータ容量が小さい縮小信号をそれぞれ生成する。また、画像データ生成手段としてのＣＰＵ１３は、各縮小信号を合成して、一のセグメントから供給される画像信号よりもデータ容量が大きい１フレーム分の画像データを生成する。また、ＣＰＵ１３は、１フレーム分の画像データを１フレームとして表示部３に表示させるように表示制御回路１７を制御する。
【００４９】
また、ＣＰＵ１３は、１２個の音声信号を１フレーム分の音声データとして音声出力部４から出音させるように音声制御回路１８を制御する。
【００５０】
（受信装置１の動作）
上記の構成において、図５に示す画像表示処理ルーチンを参照して、受信装置１の動作について説明する。
【００５１】
（画像表示処理ルーチン）
画像表示処理ルーチンが実行されると、図５に示すように、ＣＰＵ１３は、ハイビジョン放送の画像信号を１２個のセグメントの各々から受信する（Ｓ１０１）。そして、各画像信号を復調回路１６で復調させ（Ｓ１０２）、復調された各画像信号をデコードする（Ｓ１０３）。その後、間引き処理を行うことによって、画像信号から縮小信号を生成する（Ｓ１０４）。
【００５２】
次に、１２個の縮小信号を合成させて１フレーム分の画像データを生成し（Ｓ１０５）、この画像データを表示部３に表示させるように表示制御回路１７を制御することによって、１フレームを表示部３に表示させる（Ｓ１０６）。その後、Ｓ１０１に戻る。
【００５３】
このように、１２個のセグメントからそれぞれ供給される画像信号を間引いた縮小信号が合成されて、一のセグメントから供給される画像信号よりもデータ容量が大きい１フレーム分の画像データが生成される。これにより、一のセグメントから供給される画像信号を１フレーム分の画像データとする従来のワンセグ放送に比べて、１フレーム分の画像データのデータ容量が大きなものとなるから、従来よりもデータ容量が大きな画像データをワンセグ放送の表示に用いることによって、ワンセグ放送の解像度を高めることができる。
【００５４】
（本実施の形態の概要）
以上のように、本実施の形態の画像信号処理装置は、複数のセグメント（ハイビジョン放送用の１２個のセグメント等）からそれぞれ供給される画像信号を所定の間隔（１／５０ｓｅｃ等）で受信する受信手段（アンテナ２、復調回路１６等）と、各画像信号を所定のルールで間引くことによって画像信号よりもデータ容量が小さい縮小信号をそれぞれ生成する縮小信号生成手段（ＣＰＵ１３、図５の画像表示処理ルーチン等）と、各縮小信号を合成して、一のセグメントから供給される画像信号よりもデータ容量が大きい１フレーム分の画像データを生成する画像データ生成手段（ＣＰＵ１３、図５の画像表示処理ルーチン等）と、を有する構成にされている。
【００５５】
上記の構成によれば、複数のセグメントからそれぞれ供給される画像信号を間引いた縮小信号が合成されて、一のセグメントから供給される画像信号よりもデータ容量が大きい１フレーム分の画像データが生成される。これにより、一のセグメントから供給される画像信号を１フレーム分の画像データとする従来のワンセグ放送に比べて、１フレーム分の画像データのデータ容量が大きなものとなるから、従来よりもデータ容量が大きな画像データをワンセグ放送の表示に用いることによって、ワンセグ放送の解像度を高めることができる。
【００５６】
また、本実施の形態の画像信号処理方法は、複数のセグメント（ハイビジョン放送用の１２個のセグメント等）からそれぞれ供給される画像信号を所定の間隔（１／５０ｓｅｃ等）で受信するステップと、各画像信号を所定のルールで間引くことによって画像信号よりもデータ容量が小さい縮小信号をそれぞれ生成するステップと、各縮小信号を合成して、一のセグメントから供給される画像信号よりもデータ容量が大きい１フレーム分の画像データを生成するステップと、を有する構成にされている。
【００５７】
上記の構成によれば、複数のセグメントからそれぞれ供給される画像信号を間引いた縮小信号が合成されて、一のセグメントから供給される画像信号よりもデータ容量が大きい１フレーム分の画像データが生成される。これにより、一のセグメントから供給される画像信号を１フレーム分の画像データとする従来のワンセグ放送に比べて、１フレーム分の画像データのデータ容量が大きなものとなるから、従来よりもデータ容量が大きな画像データをワンセグ放送の表示に用いることによって、ワンセグ放送の解像度を高めることができる。
【００５８】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００５９】
例えば、第１の実施の形態において、ワンセグ放送用のセグメントから画像信号を受信する構成にされているが、この構成に限定されるものではなく、ハイビジョン放送用の一のセグメントから画像信号を受信する構成にされていてもよい。また、第２の実施の形態において、ハイビジョン放送用の１２個のセグメントからそれぞれ画像信号を受信する構成にされているが、この構成に限定されるものではなく、ワンセグ放送用およびハイビジョン放送用の１３個のセグメントのうち、２個以上のセグメントから画像信号をそれぞれ受信する構成にされていてもよい。
【００６０】
また、第１の実施の形態において、ワンセグ放送用のセグメントから１／５０ｓｅｃ間隔で供給される２つの画像信号を合成する構成にされているが、この構成に限定されるものではなく、３つ以上の画像信号を合成する構成にされていてもよい。
【図面の簡単な説明】
【００６１】
【図１】画像信号処理装置の構成図。
【図２】受信装置の電気的構成を示す図。
【図３】画像表示処理ルーチンを示す図。
【図４】画像信号処理装置の構成図。
【図５】画像表示処理ルーチンを示す図。
【符号の説明】
【００６２】
１    受信装置
２    アンテナ
１３    ＣＰＵ
１６    復調回路
【図１】
2009188615.tif 000003
【図２】
2009188615.tif 000004
【図３】
2009188615.tif 000005
【図４】
2009188615.tif 000006
【図５】
2009188615.tif 000007